(57)【要約】【課題】路面の洗浄の効果を維持しつつ、該路面の洗浄に使用される洗浄用水の量が従来よりも少なくて済む路面洗浄装置を提供する。【解決手段】洗浄流体を貯留する給水タンク１と、該給水タンク１から上記洗浄流体を吸引して昇圧してから送水する高圧送水機２と、昇圧された上記洗浄流体を上記高圧送水機２から受け路面へ向けて噴射して該路面を洗浄するとともに洗浄により生じた汚染水を吸引するクリーナ４と、上記汚染水を吸引する力を発生させて該汚染水を上記クリーナ４から受け回収する回収機とを備える路面洗浄装置において、該路面洗浄装置は、上記高圧送水機２で昇圧された洗浄流体を加熱してスチームを発生させるスチーム発生機３を有し、上記クリーナ４は、上記スチーム発生機３から受けたスチームを路面へ向けて噴射して路面を洗浄する。【選択図】図１
2015132103.tif 000002
【特許請求の範囲】
【請求項１】
洗浄流体を貯留する給水タンクと、
該給水タンクから上記洗浄流体を吸引して昇圧してから送水する高圧送水機と、
昇圧された上記洗浄流体を上記高圧送水機から受け路面へ向けて噴射して該路面を洗浄するとともに洗浄により生じた汚染水を吸引するクリーナと、
上記汚染水を吸引する力を発生させて該汚染水を上記クリーナから受け回収する回収機とを備える路面洗浄装置において、
該路面洗浄装置は、上記高圧送水機で昇圧された洗浄流体を加熱してスチームを発生させるスチーム発生機を有し、
上記クリーナは、上記スチーム発生機から受けたスチームを路面へ向けて噴射して路面を洗浄することを特徴とする路面洗浄装置。
【請求項２】
クリーナは、スチーム発生機で発生させるスチームの温度の設定指令を発する温度操作部を有し、スチーム発生機が上記設定指令を受け温度調整が可能となっていることとする請求項２に記載の路面洗浄装置。
【請求項３】
クリーナは、スチームの流量を調整するための流量調整弁と、該流量調整弁の開度を調整するための流量操作部とを有していることとする請求項１または請求項２に記載の路面洗浄装置。
【請求項４】
回収された汚染水を回収機から受け汚染物質と水とに分離する分離機をさらに備える請求項１ないし請求項３のいずれかに記載の路面洗浄装置。
【発明の詳細な説明】
【技術分野】
【０００１】
本発明は、洗浄流体を路面へ向けて噴射して該路面を洗浄する路面洗浄装置に関する。
【背景技術】
【０００２】
従来の路面洗浄装置として、例えば、図３に示される装置が知られている。この図３は、従来の路面洗浄装置の構成の一例を示すブロック図である。図３に見られるように、従来の路面洗浄装置は、洗浄流体としての洗浄用水を貯留する給水タンク３１と、給水タンク３１からの洗浄用水を昇圧して高圧洗浄用水としてから送水する高圧送水機３２と、該高圧送水機３２からの高圧洗浄用水の噴射により路面を洗浄するとともに汚染水を吸引するクリーナ３４と、該クリーナ３４によって吸引された汚染水を貯留する貯留槽３５と、該貯留槽３５の汚染水を吸引して回収する回収機３６と、該回収機３６からの汚染水を汚染物質と水とに分離する分離機としての分離槽３７とを有している。
【０００３】
高圧送水機３２は、例えばエンジン式の送水機であり、該給水タンク３１に貯留されている洗浄用水を吸引して、１５〜２０ＭＰａ程度にまで昇圧して高圧洗浄用水を生成する。クリーナ３４は、作業者の操作により、上記高圧洗浄用水を路面へ向けて噴射して該路面を洗浄し、洗浄により生じた汚染水を吸引するようになっている。
【０００４】
貯留槽３５は、例えばドラム缶等により構成されており、クリーナ３４で吸引された汚染水を貯留するとともに、該汚染水に含まれる砂利や泥等を沈殿させて分離する。回収機３６は、例えばエンジン式の多段ターボブロア等により構成されており、クリーナ３４で汚染水を吸引するための吸引力を発生させることにより、クリーナ３４で吸引した汚染水が貯留槽３５を経て回収されるようになっている。分離槽３７は、例えばドラム缶等で構成されており、回収された汚染水を回収機３６から受けて貯留し、該汚染水内に含まれる汚染物質を凝集および沈殿させることにより、汚染水を汚染物質と水とに分離する。また、分離槽３７に代えて、例えばサイクロン式の遠心分離機等の分離機を採用することも可能である。
【先行技術文献】
【特許文献】
【０００５】
【特許文献１】発見できず
【発明の概要】
【発明が解決しようとする課題】
【０００６】
既述した従来の路面洗浄装置では、高圧送水機で生成された高圧洗浄用水をそのままクリーナのノズルから噴射するので、路面の洗浄に使用される洗浄用水が多量となるという問題がある。この結果、路面の洗浄により生じる回収すべき汚染水の量も多くなるので、回収した汚染水の処理に要する手間、時間そしてコストが膨大となってしまう。また、汚染水を処理するための装置の負担も大きくなってしまう。
【０００７】
本発明は、このような事情に鑑み、路面の洗浄の効果を維持しつつ、該路面の洗浄に使用される洗浄用水の量が従来よりも少なくて済む路面洗浄装置を提供することを課題とする。
【課題を解決するための手段】
【０００８】
本発明に係る路面洗浄装置は、洗浄流体を貯留する給水タンクと、該給水タンクから上記洗浄流体を吸引して昇圧してから送水する高圧送水機と、昇圧された上記洗浄流体を上記高圧送水機から受け路面へ向けて噴射して該路面を洗浄するとともに洗浄により生じた汚染水を吸引するクリーナと、上記汚染水を吸引する力を発生させて該汚染水を上記クリーナから受け回収する回収機とを備える。
【０００９】
かかる路面洗浄装置において、本発明では、該路面洗浄装置は、上記高圧送水機で昇圧された洗浄流体を加熱してスチームを発生させるスチーム発生機を有し、上記クリーナは、上記スチーム発生機から受けたスチームを路面へ向けて噴射して路面を洗浄することを特徴としている。
【００１０】
本発明では、スチーム発生機で洗浄流体を加熱してスチームを発生させ、クリーナが該スチームを噴射することとしたので、少量のスチームで洗浄効果が一段と向上する。したがって、従来のようにクリーナが洗浄流体を液体状態のまま噴射する場合と比べて、同じ洗浄効果を維持するために路面の洗浄に使用される洗浄流体の量を大幅に低減させることができる。本発明において、「洗浄流体」とは、洗浄用水や洗浄剤等、路面の洗浄に使用される流体を意味しており、液体状態そして気体状態にある流体を両方とも含んでいる。また、本発明において「路面」とは、洗浄される対象となる面のことをいい、野外の道路等に限られず、例えば室内の床面等をも含んでいる。
【００１１】
クリーナは、スチーム発生機で発生させるスチームの温度の設定指令を発する温度操作部を有し、スチーム発生機が上記設定指令を受け温度調整が可能となっていてもよい。このような構成にすることにより、路面を洗浄する際に、オペレータが温度操作部を操作するだけでスチームの温度を容易に調整することが可能となる。
【００１２】
クリーナは、スチームの流量を調整するための流量調整弁と、該流量調整弁の開度を調整するための流量操作部とを有していてもよい。このような構成にすることにより、路面を洗浄する際に、オペレータが上記流量操作部を操作するだけでスチームの流量を容易に調整することが可能となる。
【００１３】
路面洗浄装置は、回収された汚染水を回収機から受け汚染物質と水とに分離する分離機をさらに備えていてもよい。
【発明の効果】
【００１４】
本発明は、以上のように、スチーム発生機で洗浄流体を加熱してスチームを発生させ、クリーナで該スチームを噴射して路面を洗浄することとしたので、少量のスチームで洗浄効果が一段と向上する。したがって、従来のように洗浄流体を液体状態のまま噴射して路面を洗浄する場合と比べて、同じ洗浄効果を維持するために路面の洗浄に使用される洗浄流体の量を大幅に低減させることができる。その結果、路面の洗浄により生じる汚染水の量も少なくなるので、回収した汚染水の処理に要する手間、時間そしてコストを低減させることができ、さらに、汚染水を処理する装置の負担を軽減できる。
【図面の簡単な説明】
【００１５】
【図１】本発明の実施形態に係る路面洗浄装置の構成の一例を示すブロック図である。
【図２】（Ａ）は図１の路面洗浄装置のクリーナを示す断面斜視図であり、（Ｂ）は（Ａ）のＢ矢視図である。
【図３】従来の路面洗浄装置の構成の一例を示すブロック図である。
【発明を実施するための形態】
【００１６】
以下、添付図面にもとづき、本発明の実施の形態について説明する。
【００１７】
図１は、本発明の実施形態に係る路面洗浄装置の構成の一例を示すブロック図である。該路面洗浄装置は、図３に示した従来の路面洗浄装置における高圧送水機とクリーナとの間にスチーム発生機を設けた構成としている点に特徴があり、該スチーム発生機が、高圧洗浄機から受けた洗浄流体としての高圧洗浄用水を加熱してスチームを発生させるようになっている。本実施形態では、該スチーム発生機が設けられている点、そしてクリーナがスチームを噴射して路面を洗浄する点を除き、従来の路面洗浄装置と基本的な構成が同じである。図１において、図３に示される従来の路面洗浄装置の各部に対応する部分には、図３の符号から「３０」を減じた符号を付けて示している。
【００１８】
本実施形態では、高圧送水機２は、例えばエンジン式の送水機であり、給水タンク１から受けた洗浄用水を１５〜３０ＭＰａ程度に昇圧する。スチーム発生機３は、その内部にボイラ（図示せず）を内蔵しており、高圧送水機２で昇圧された洗浄用水（高圧洗浄用水）を１２０℃程度まで加熱してスチームを発生させる。クリーナ４自体は、図３で示した従来のクリーナ３４と基本的な構成は同じであるが、洗浄用水ではなく、スチーム発生機３から受けたスチームを路面へ向けて噴射する点でクリーナ３４と相違している。スチームの噴射量は、例えば１５ＭＰａの圧力で２．７Ｌ／分程度であるが、オペレータが後述のクリーナ４の流量操作部２１（図２（Ａ）参照）を操作してスチームの流量を調整することにより調製可能である。クリーナ４の詳細な構成そして動作については、図２（Ａ），（Ｂ）に基いて後述する。
【００１９】
路面へ噴射されて路面を洗浄したスチームは冷却されて汚染水となる。該汚染水は、回収機６で発生される吸引力によって吸引されて貯留槽５へ貯留されて砂利や泥が沈殿分離された後、回収機６に吸引されて分離槽７へ送られ、該分離槽７での凝集そして沈殿により水と汚染物質とに分離される。
【００２０】
クリーナ４の構成は、一部断面斜視図として示す図２（Ａ）のとおりである。また、図２（Ｂ）は、図２（Ａ）のＢ矢視図であり、後述するクリーナヘッド１５の腕管部１５Ａをその長手方向から見た図である。クリーナ４は、図２（Ａ）に見られるように、略円盤外形をなしスチームの噴射および汚染水の吸引を行う本体部１０と、該本体部１０の上面に連結されたハンドル１８と、該ハンドル１８に取り付けられスチームの流量を調整するための流量操作部２１とを有している。
【００２１】
本体部１０は、該本体部１０の上壁および周壁を形成するカバー１１と、該カバー１１の周壁の下端から下方へ向けて延びるブラシ１４と、カバー１１の上壁によって回動可能に軸支されスチームを路面へ向けて噴射するためのクリーナヘッド１５とを有している。
【００２２】
カバー１１は、図２（Ａ）に見られるように、外カバー１２と該外カバー１２の内側に設けられた内カバー１３とで構成される二重構造となっている。外カバー１２は、円板状の外上壁１２Ａと、該外上壁１２Ａの全周にわたる範囲で外周縁から下方へ向けてスカート状に延びる外周壁１２Ｂとを有している。内カバー１３は、外上壁１２Ａの下方位置で該外上壁１２Ａに対向して位置する円板状の内上壁１３Ａと、該内上壁１３Ａの全周にわたる範囲で外周縁から下方へ向けてスカート状に延び外周壁１２Ｂに対向して位置する内周壁１３Ｂとを有している。内上壁１３Ａおよび内周壁１３Ｂは、それぞれ外カバー１２の内上壁１２Ａおよび内周壁１２Ｂとの間に所定寸法の隙間１１Ａを形成するように位置している。この隙間１１Ａは、後述するように、路面の洗浄により生じた汚染水を本体部１０外へ送るための流路として機能する（図２（Ａ）の矢印参照）。以下、説明の便宜上、外上壁１２Ａおよび内上壁１３Ａを総称して「上壁１２Ａ，１３Ａ」ともいう。
【００２３】
外上壁１２Ａには、外上壁１２Ａの上面から突出するとともに、該外上壁１２Ａを貫通して上記隙間１１Ａと連通する汚染水排出部１２Ｃが設けられている。また、外上壁１２Ａには、後述するハンドル１８に設けられた二つのロッド１９の下端をそれぞれ回動自在に支持する二つの支持部１２Ｄが形成されている。また、外周壁１２Ｂの外周面には、クリーナ４の円滑な移動を補助するための車輪１６が取付金具１７を介して周囲３箇所に設けられている。
【００２４】
クリーナヘッド１５は、図２（Ａ）に見られるように、内カバー１３の内上壁１３Ａの下方位置で該内上壁１３Ａに沿って延びる直状の腕管部１５Ａと、該腕管部１５Ａの長手方向中央位置で該腕管部１５Ａから上方へ向けて延びる短い縦管部１５Ｂと、上記腕管部１５Ａの長手方向での各先端部に設けられたノズル１５Ｃとを有している。
【００２５】
縦管部１５Ｂは、カバー１１の上壁１２Ａ，１３Ａの中央位置で該上壁１２Ａ，１３Ａを貫通して延びており、該上壁１２Ａ，１３Ａによって該縦管部１５Ｂの軸線（上下方向に延びる軸線）まわりで軸受１２Ｅによって回転可能に支持されている。ノズル１５Ｃは、スチームを噴射するためのノズルであり、腕管部１５Ａの長手方向での各端部に斜め下方へ向けて周方向に突出して設けられている（図２（Ｂ）をも参照）。腕管部１５Ａの一端側のノズル１５Ｃと他端側のノズル１５Ｃは、互いに反対側へ傾斜した方向に突出しており、各ノズル１５Ｃからスチームが路面へ向けて下方向かつ周方向に向け斜めに噴射されるようになっている。この結果、噴射ジェットの下方向成分の力で路面を洗浄するとともに、周方向成分の力、すなわち接線方向成分の力（反力）でクリーナヘッド１５を上記軸線まわりに回転させる力を付与することにより、クリーナヘッド１５全体が縦管部１５Ｂの軸線まわりに回転可能となっている（図２（Ａ）の矢印Ｐ参照）。
【００２６】
ハンドル１８は、本体部１０の外上壁１２Ａに一端側（下端側）が連結される二本のロッド１９と、各ロッド１９の他端側（上端側）に設けられオペレータによって把持される把持部２０とを有している。図２（Ａ）に見られるように、二本のロッド１９は、長手方向での中間位置で互いに近づくように屈曲されて結合されることにより十分な強度が確保されている。
【００２７】
流量操作部２１は、二つの把持部２０のうち一方の把持部２０に取り付けられている。該流量操作部２１は、給気管２２（図２（Ａ）にて二点鎖線で図示）によってスチーム発生機３（図１参照）に接続されていて、該給気管２２を介して該スチーム発生機３から供給されるスチームを受ける。また、流量操作部２１は、送気管２３（図２（Ａ）にて二点鎖線で図示）によってクリーナヘッド１５の縦管部１５Ｂに接続されていて、該送気管２３を介してクリーナヘッド１５へスチームを送るようになっている。
【００２８】
流量操作部２１には、流量調整操作のためのレバー２４が設けられており、路面洗浄時にてオペレータがレバー２４を操作して、該送気管２３に設けられた流量調整弁（図示せず）の開度を調整することにより、クリーナヘッド１５へのスチームの流量を調整できるようになっている。このように流量操作部２１を設けることにより、路面の汚染程度に応じて適宜スチームの流量を設定することが可能となるので、汚染程度に対して必要最小限の量のスチームの使用で洗浄を行うことができる。
【００２９】
次に、このような構成のクリーナ４の動作を説明する。スチーム発生機３で発生したスチームが、流量操作部２１で調整された流量で送気管２３を経てクリーナヘッド１５の縦管部１５Ｂへ送られると、該スチームは腕管部１５Ａを経て、二つのノズル１５Ｃから路面へ向けて噴射される。既述したように、スチームは下方向かつ周方向へ向け斜めに各ノズル１５Ｃから噴射されるので、腕管部１５Ａがスチームの噴射方向とは逆方向へ向けた反力を受けることにより、クリーナヘッド１５が縦管部１５Ｂの軸線まわりに回転する。路面へ向けて噴射されたスチームは、該路面上に付着した汚染物質を洗い流して除去する。また、オペレータがハンドル１８を操作して本体部１０を路面上で移動させることにより、広範囲にわたって路面をスチームで洗浄することが可能となる。
【００３０】
路面へ噴射されて路面を洗浄したスチームは冷却されて汚染水となり、該汚染水は回収機６で発生された吸引力によってクリーナ４により吸引される。このとき、汚染水は、本体部１０の外周壁１２Ｂと内周壁１３Ｂとの間の開口部から吸引され隙間１１Ａを回収流路として流れ、そして汚染水排出部１２Ｃを経て貯留槽５に回収される（図２（Ａ）にて二点鎖線で図示）。
【００３１】
本実施形態に係る路面洗浄装置では、高圧送水機２とクリーナ４との間にスチーム発生機３を設けて、該スチーム発生機３で洗浄用水を加熱してスチームを発生させ、クリーナ４が該スチームを噴射することとしたので、従来の路面洗浄装置（図３参照）のようにクリーナ３４が洗浄流体を液体状態のまま噴射する場合と比べて、洗浄効果を維持しつつ、路面の洗浄に使用される洗浄流体の量を大幅に低減させることができる。具体的には、本実施形態に係る路面洗浄装置によれば、従来の路面洗浄装置と比べて、洗浄用水の使用量を約１／５〜１／６程度にまで低減することが可能となる。また、洗浄用水の使用量が低減する結果、その分、路面の洗浄により生じる汚染水の量も低減するので、回収した汚染水の処理に要する手間、時間そしてコストを低減させることができ、さらに、汚染水を処理する装置の負担を軽減できる。
【００３２】
本実施形態に係る路面洗浄装置では、路面の汚染程度に対応できるように、スチーム発生機３で発生させるスチームの温度を調整できる機能を設けてもよい。例えば、スチーム発生機で発生させるスチームの温度の設定指令を発する温度操作部（図示せず）をクリーナ４のハンドル１８に設けて、オペレータが上記温度操作部を操作するだけでスチームの温度を容易に調整できるようにしてもよい。
【符号の説明】
【００３３】
１  給水タンク
２  高圧送水機
３  スチーム発生機
４  クリーナ
６  回収機
７  分離槽（分離機）
【図１】
2015132103.tif 000003
【図２】
2015132103.tif 000004
【図３】
2015132103.tif 000005